(57)【要約】【課題】  本発明は、原稿ガラス上にゴミが留まることを防止し、画像スジの発生を防止することができる画像読取装置及びこれを具備する画像形成装置を提供することを目的とする。【解決手段】  本発明に係る画像読取装置及びこれを具備する画像形成装置の代表的な構成は、原稿搬送装置２と、原稿Ｐの画像を読み取るランプ152及びミラー153と、原稿搬送装置２とランプ152及びミラー153の間に設けられ、原稿Ｐを表面に摺擦させてガイドする流し読みプラテン161と、流し読みプラテン161をアースするアルミシート161ａと、を具備する画像読取装置15において、アルミシート161ａはランプ152及びミラー153による画像読取りを行う原稿読取位置160より原稿搬送方向上流側および略原稿幅全域において流し読みプラテン161と導電することを特徴とする。【選択図】    図４
2005184069.tif 000002
【特許請求の範囲】
【請求項１】
原稿の画像を読み取る画像読取手段と、該画像読取手段へ原稿を搬送する原稿搬送手段と、前記画像読取手段と前記原稿搬送手段との間に設けられ、原稿を表面に摺擦させてガイドする透明原稿ガイド手段と、該透明原稿ガイド手段をアースする導電部材と、を具備する画像読取装置において、  前記導電部材は、前記画像読取手段により画像を読み取る原稿読取位置より原稿搬送方向上流側および略原稿幅全域において透明原稿ガイド手段と導電することを特徴とする画像読取装置。
【請求項２】
前記導電部材は、原稿読取位置近傍で、かつ原稿が透明原稿ガイド手段と接触する領域外において透明原稿ガイド手段と導電することを特徴とする請求項１に記載の画像読取装置。
【請求項３】
前記導電部材は、前記透明原稿ガイド手段の原稿搬送方向上流側縁部と、透明原稿ガイド手段の原稿幅方向縁部に設けられていることを特徴とする請求項１に記載の画像読取装置。
【請求項４】
前記導電部材はアルミ、銅等の導電テープであり、透明原稿ガイド手段に直接貼付したことを特徴とする請求項１〜請求項３のいずれか１項に記載の画像読取装置。
【請求項５】
前記導電部材は板バネであることを特徴とする請求項１〜請求項３のいずれか１項に記載の画像読取装置。
【請求項６】
前記導電部材を保護する保護部材が設けられていることを特徴とする請求項１〜請求項５のいずれか１項に記載の画像読取装置。
【請求項７】
前記導電部材は保護部材から、原稿読取位置側の先端が露出していることを特徴とする請求項６に記載の画像読取装置。
【請求項８】
前記透明原稿ガイド手段は原稿ガラスであり、表面に透明導電コートが施されていることを特徴とする請求項１〜請求項７のいずれか１項に記載の画像読取装置。
【請求項９】
前記原稿搬送手段は、白色プラテンローラとシート規制コロを有し、該白色プラテンローラと前記シート規制コロにより原稿を前記透明原稿ガイド手段へ搬送することを特徴とする請求項１〜請求項８のいずれか１項に記載の画像読取装置。
【請求項１０】
前記画像読取手段は設定位置で停止し、原稿を搬送しながら画像をよみとる流し読みを行うことを特徴とする請求項１〜請求項９のいずれか１項に記載の画像読取装置。
【請求項１１】
請求項１乃至１０のいずれか１項に記載の画像読取装置と、  該画像読取装置によって読み取った画像に応じて記録媒体に画像を形成する画像形成部と、を有することを特徴とする画像形成装置。 
【発明の詳細な説明】
【技術分野】
【０００１】  本発明は、例えば、スキャナー、複写機、プリンター、あるいは、ファクシミリ装置などに用いられ、画像が記載されたシート材（原稿）を自動搬送する原稿搬送装置を備え、シート材（原稿）の画像を読み取る画像読取装置及びこれを具備する画像形成装置に関するものである。
【背景技術】
【０００２】  従来、デジタル複写機等の画像形成装置に用いられる、両面対応自動原稿搬送装置等の原稿搬送装置（以下、ＡＤＦ (Auto Document Feeder) という）を備えた画像読取装置がある。この種のＡＤＦを備えたデジタル複写機に用いられる画像読取装置は、ＡＤＦ内の原稿を複写する場合は、ＡＤＦの下方に設けられた読取手段をモータにより設定位置、すなわち、ＡＤＦ内のプラテンローラのほぼ直下に移動して停止させる。そして、ランプユニットから光を出射し、プラテンローラとガラス板との間で原稿を搬送させつつ原稿を走査し、その反射光を読取手段により検出する。そして、この検出したデータに基づいて、プリンタ部で処理することによって、複写画像が得られるようになっている。【０００３】  図12に示すように、従来のデジタル複写機のADFの原稿読取部は、プラテンローラ524、透明原稿ガイド手段である原稿ガラス516で構成され、原稿Ｐは原稿ガラス516の表面を摺擦して搬送される。また原稿Ｐの搬送性を確保する為に、原稿ガラス516の長手方向（原稿幅方向）端部にアースバネ（不図示）を設け原稿ガラス516の帯電防止を行っている（例えば、特許文献１参照）。【０００４】
【特許文献１】特開2001-83749号公報（図1）
【特許文献２】特開2003-333277号公報（図6）
【発明の開示】
【発明が解決しようとする課題】
【０００５】  上記従来例において、原稿搬送で発生したトナー粉、紙粉、ゴムカス等のゴミが原稿ガラス上に溜まってしまうという問題が発生する。特にゴミが原稿読取位置に溜まると画像記録の際にスジ画像が発生するという問題がある。【０００６】  すなわち、図12に示すように、原稿Ｐと一緒に運ばれてきたゴミＧは原稿Ｐと原稿ガラス516の間で摺擦される。その後、原稿Ｐは原稿ガラス516よりはがれて搬送ガイド517に沿って搬送されていくが、ゴミＧは原稿ガラス516に静電吸着し滞留する。このとき、ゴミＧがたまたま原稿読取位置にあると、原稿Ｐの読み取り中、読取手段によって連続して読み取られ、画像スジが発生する。【０００７】  また、従来のアースバネは、原稿ガラス516の長手方向（原稿幅方向）端部に設けられており、静電気発生領域からアースバネまでの距離が離れていてトータルの抵抗値が大きくなっていたため、充分な除電効果が得られず、ゴミＧの原稿ガラス516への静電吸着を防止することができなかった。【０００８】  そこで本発明は、原稿ガラス上にゴミが留まることを防止し、画像スジの発生を防止することができる画像読取装置及びこれを具備する画像形成装置を提供することを目的とする。
【課題を解決するための手段】
【０００９】  上記課題を解決するために本発明に係る画像読取装置及びこれを具備する画像形成装置の代表的な構成は、稿の画像を読み取る画像読取手段と、該画像読取手段へ原稿を搬送する原稿搬送手段と、前記画像読取手段と前記原稿搬送手段との間に設けられ、原稿を表面に摺擦させてガイドする透明原稿ガイド手段と、該透明原稿ガイド手段をアースする導電部材と、を具備する画像読取装置において、前記導電部材は、前記画像読取手段により画像を読み取る原稿読取位置より原稿搬送方向上流側および略原稿幅全域において透明原稿ガイド手段と導電することを特徴とする。
【発明の効果】
【００１０】  以上説明したように、導電部材は画像読取手段による画像読取りを行う位置より原稿搬送方向上流側および略原稿幅全域において透明原稿ガイド手段と導電することとしたことにより、透明原稿ガイド手段と原稿の摺擦部近傍（静電気発生領域）で除電することができ、透明原稿ガイド手段の表面抵抗の大きさによる影響をおさえ、短時間で充分に除電を行うことができる。これにより、透明原稿ガイド手段と原稿の静電吸着を防止し、スジ画像の発生を防止できる。【００１１】  また、導電部材を、原稿が透明原稿ガイド手段に接触する位置より原稿搬送方向上流側に設けたことにより、原稿を除電することもできる。【００１２】  また、導電部材を透明原稿ガイド手段の原稿搬送方向上流側縁部と、透明原稿ガイド手段の原稿幅方向縁部に設けた構成とすることにより、除電を充分に行うことができ、画像スジの発生をよりいっそうおさえることができる。
【発明を実施するための最良の形態】
【００１３】［第一実施形態］  本発明に係る画像読取装置及びこれを具備する画像形成装置の第一実施形態について、図を用いて説明する。図１は本実施形態に係る画像読取装置の断面図、図２は画像形成装置の構成図、図３は原稿搬送装置の駆動系の説明図、図４は原稿読取部の詳細図、図５は原稿搬送装置のヒンジ機構を説明する背面図、図６〜図８は原稿搬送装置のヒンジ機構の説明図、図９は原稿搬送装置の制御ブロック図、図１０は読取装置の制御ブロック図である。【００１４】  図２に示すように、画像形成装置１は、プリンタ部300と、画像読取装置15とから構成さえれている。【００１５】〔プリンタ部の説明〕  プリンタ部300は、周知の静電潜像画像形成を用いた画像形成装置本体である。プリンタ部300は、給送部、画像形成部、定着装置118、ソータ122から構成されている。【００１６】  給送部は、上段カセット100、下段カセット102、手差しガイド104、シート積載装置108、給送ローラ101、103、105、109、レジストローラ106から構成されている。【００１７】  上段カセット100は記録媒体であるシートを積載収納可能であり、上段カセット100内に収納されたシートは分離爪と給送ローラ101の作用によって１枚ずつ分離給送されてレジストローラ106に導かれる。下段カセット102はシートを積載収納可能であり、下段カセット102内に収納されたシートは分離爪と給送ローラ103の作用によって１枚ずつ分離給送されてレジストローラ106に導かれる。【００１８】  手差しガイド104はシートを積載可能であり、手差しガイド104に積載されたシートは１枚ずつ給送ローラ105を介してレジストローラ106に導かれる。【００１９】  シート積載装置108（デッキタイプ）は、モータ等により昇降する中板108ａを備え、中板108ａ上に積載されたシートは、給送ローラ109と分離爪の作用により１枚ずつ分離給送されて搬送ローラ110に導かれる。【００２０】  画像形成部は、感光ドラム112、現像器114、転写帯電器115、分離帯電器116から構成されている。感光ドラム112は、リーダ部150により読み取られた画像データに基づいてレーザースキャナ（不図示）により画像光を照射され、感光ドラム112の表面に静電潜像を形成する。この静電潜像は、現像器114によってトナー像に変換され、レジストローラ106から搬送されたシートに転写帯電器115により転写される。トナー像を転写されたシートは、分離帯電器116により感光ドラム112から分離して搬送ベルト117へ搬送される。【００２１】  その後、シートは、搬送ベルト117により定着装置118へ搬送され、定着装置118によりトナー像を定着され、搬送ローラ119によりダイバータ120へ搬送される。ダイバータ120へ搬送されシートは、ダイバータ120によって排出ローラ121に導かれ、ソータ122内に搬送される。【００２２】  ソータ122は、ノンソートトレイ122ａ、ソートビントレイ122ｂ、ノンソートトレイ排出ローラ122ｃ、ソートビントレイ排出ローラ122ｄを有し、ノンソートトレイ122ａとソートビントレイ122ｂが昇降してシートを一段づつ区分けする。尚、ソータに代わって、排出トレイを装着してもよい。【００２３】  両面複写、多重複写の場合には、ダイバータ120へ搬送されシートは、ダイバータ120により分岐されて搬送ローラ201へ搬送される。そして、両面複写の場合には、シートはベルト202、ダイバータ203、ベルト204、パス206、排出ローラ205を経ることにより反転して中間トレイ200に排出される。また、多重複写の場合には、シートはベルト202、ダイバータ203を経てそのまま中間トレイ200に排出される。【００２４】  中間トレイ200に排出されたシートは、半月ローラ209、210により給送され、分離ローラ対211にて１枚ずつ分離され、搬送ローラ213、214、215によりレジストローラ106へ搬送され、画像形成部にて両面複写、多重複写されて、上述のごとくソータ122へ排出される。【００２５】〔画像読取装置の説明〕  図１に示すように、画像読取装置15は、リーダ部150と、リーダ部150の上部に設けられた原稿搬送手段である原稿搬送装置２（ＡＤＦ (Auto Document Feeder)）とから構成されている。【００２６】〔リーダ部の説明〕  リーダ部150は、画像読取手段としてのランプ152及びミラー153と、ミラー155、156、レンズ157、ＣＣＤ158を備えている。ランプ152とミラー153は、光学台159に取り付けられている。【００２７】  また、光学台159は、ワイヤ（不図示）によって、モータ314（図10参照）と結合され、モータ314の回転駆動により原稿台ガラス３と平行に移動制御される。【００２８】  ポジションセンサ315（図10参照）は、光学台159のホームポジション位置を検知するためのセンサであり、ポジションセンサ315の位置を基準としてモータ314を正転、逆転することにより光学台159を移動し、原稿台ガラス３上の原稿を光学的に走査する。【００２９】  また、モータ314は、ステッピングモータにより構成されている。このモータ314には、エンコーダ302が接続されており、このエンコーダ302の出力により、光学台159が何パルス分移動したかを認識できるようになっている。すなわち、ポジションセンサ315とエンコーダ302からのエンコーダーパルスにより、光学台159の位置を把握することが可能である。【００３０】  ランプ152から原稿面に照射された光は、原稿Ｐで反射する。原稿からの反射光は、ミラー153、155、156を介してレンズ157に導かれ、レンズ157によってＣＣＤ158上に集光される。ＣＣＤ158は、原稿情報を反映した上記反射光を光電変換し、電子的な画像信号として出力する。【００３１】  このような構成下で、リーダ部150は、ＡＤＦ原稿読取モードと、原稿台ガラス原稿読取モードの２つのモードで原稿情報を読み取ることができる。ＡＤＦ原稿読取モードは、光学台159を原稿読取位置160（図１中１点鎖線の位置）に停止させた状態で、ＡＤＦ２により原稿を搬送させながら原稿情報を読み取るモードである。原稿台ガラス原稿読取モードは、原稿を原稿台ガラス３上に固定的に載置して、光学台159を走査方向（原稿幅方向）と直交する副走査方向に移動させながら原稿情報を読み取るモードである。【００３２】  図10に示すように、リーダ部150を制御するスキャナコントローラ304は、モータ314、302、ランプ152、光学台159をホームポジションに位置決めするためのポジションセンサ315、原稿面に光を照射するランプ152、ＣＣＤ158、Ａ／Ｄ変換回路301、バックアップＲＡＭ303と接続し、これらの動作を制御している。バックアップＲＡＭ303は、ＡＤＦ原稿読取モードにおける正規の原稿読取位置160を設定するための記憶メモリである。【００３３】〔原稿搬送装置の説明〕  図１に示すように、原稿搬送装置２（ＡＤＦ）は、原稿トレイ４、給送部、分離部（給送ローラ５、分離パッド６、分離搬送ローラ８）、搬送部（レジスト従動ローラ11、レジストローラ12、リード排出ローラ23、リード排出従動ローラ16）、排出部（排出ローラ18、排出トレイ10）、各種の駆動系及びセンサ、制御回路、ヒンジ機構95、96を具備している。【００３４】  給送部、分離部は、給送ローラ５、分離パッド６、分離搬送ローラ８から構成されている。原稿トレイ４は、シート状の原稿Ｐを積載するためのものである。原稿トレイ４には原稿幅方向を規制する一対の幅方向規制板44が原稿幅方向にスライド自在に配置されている。幅方向規制板44によって原稿トレイ４に積載される原稿Ｐの幅方向を規制することで給送時の搬送安定性を確保できる。【００３５】  原稿トレイ４の上方には、給送ローラ５が設けられている。給送ローラ５は分離搬送ローラ８の回転駆動に連れて回転し、シート原稿を給送する。給送ローラ５は、図示しないアームにて軸支されるので、アームを揺動して給送ローラ５を上下に移動可能である。給送ローラ５は通常、ホームポジションである上方に待避している位置（図１中実線の位置）をとり、原稿セット作業のじゃまにならない位置に退避している。給送動作が開始されると給送ローラ５が下降して原稿Ｐの上面に当接する（図１中点線位置）。【００３６】  分離パッド６は、分離搬送ローラ８の対向側に配置され、分離搬送ローラ８側に圧を加えている。分離パッド６は分離搬送ローラ８より摩擦が若干小さいゴム材料などで形成されている。レジストローラ12、レジスト従動ローラ11は、分離搬送ローラ８にて給送された原稿の先端をそろえるレジスト手段である。【００３７】〔駆動系〕  図３は各ローラなどを駆動するためのモータ及びソレノイド類を示す駆動系を示した図である。分離ソレノイド57は給送ローラ５の揺動の駆動を行う。分離ソレノイド57は給送ローラ５をホーム位置である上方（図中実線位置）に持上げ保持し、原稿セット時に邪魔にならない位置に保持するキープソレノイドである。給送動作時には分離ソレノイド57のキープ力をオフして下降し、原稿トレイ４上のシート原稿の最上紙に給送ローラ５が圧接する。【００３８】  分離モータ51はステッピングモータであり、分離ローラ８と給送ローラ５を搬送方向に回転駆動する。リードモータ53はレジローラ12、リードローラ22、プラテンローラ24、リード排出ローラ23を駆動するステッピングモータである。搬送される原稿の画像を読み取る速度で各ローラを駆動する。排出モータ50は排出ローラ18を駆動するステッピングモータである。【００３９】〔センサ〕  原稿トレイ４には、シート原稿Ｐがセットされたことを検出する透過型の光センサである原稿セット検知センサ40が設けられている。また、原稿トレイ４の下部に、幅方向規制板44の位置を検出する事により原稿トレイ４上にセットされた原稿束Ｐの幅方向の長さを検知する紙幅検知センサ41が設けられている。【００４０】  分離ローラ８とレジストローラ12の間には、原稿を検知する透過型の光センサであるレジストセンサ７が設けられ、分離給送された原稿の先端を検知し、レジストローラ12への突き当て量（ループ量）を制御するタイミングなどを検知している。リードローラ22の直後には、原稿を検知する反射型光センサであるリードセンサ13が設けられ、原稿読取位置160での画像読み取り開始タイミングの基準信号としている。排出ローラ18の直前には、原稿を検知する透過型光センサである排出センサ17が設けられ、原稿の排出タイミングなどを検知している。【００４１】〔制御回路〕  図９に示すように、原稿搬送装置２の制御回路はマイクロプロセッサ54（ＣＰＵ）を中心に構成されており、ＣＰＵ54の入出力ポートには、各種負荷のドライブ回路およびセンサ信号が接続される。【００４２】  また、制御回路は電池によりバックアップされるＲＡＭ（不図示）と、制御シーケンスソフトの格納されたＲＯＭ（不図示）を備えている。また、通信用ＩＣ55は、プリンタ部300とのデータ通信を制御する。【００４３】  分離モータ51とリードモータ53と排出モータ50は各ステッピングモータドライバによって駆動される。各ドライバには、ＣＰＵ54から相励磁信号と、モータ電流制御信号が入力されている。分離ソレノイド57はドライバによって駆動され、ＣＰＵ54の入出力ポートに接続された信号によって、その動作を制御される。【００４４】  レジセンサ７、セットセンサ40、リードセンサ13、排出センサ17、原稿幅センサ41等の各種センサは、ＣＰＵ54の入力ポートに接続されて、装置内における、原稿の挙動をおよび、可動負荷の挙動をモニターするために用いられる。【００４５】〔原稿搬送動作の説明〕  原稿セットセンサ40によって原稿トレイ４上にある原稿Ｐが検知されると、給送ローラ５が降下して原稿束上に当接する。画像形成装置１の操作部で複写条件が入力されスタートキーが押されると、原稿トレイ４上の原稿幅センサ41によって原稿サイズの検出が行われる。さらに、分離ソレノイド57の保持が解除され原稿は給送ローラ５の給送力を受けて下流部（分離搬送ローラ８）へ給送され、分離パッド６と分離搬送ローラ８により一枚毎に分離されてレジスト従動ローラ11、レジストローラ12へ給送される。【００４６】  分離搬送ローラ８から分離給送された原稿Ｐは、静止したレジストローラ対11、12のニップ部に原稿先端を突き当てつつ、分離搬送ローラ８により後端を給送されることにより、ループして先端をそろえられる。【００４７】  先端をそろえた原稿Ｐは、リードローラ22、リード従動ローラ14、プラテンローラ24へ向けて搬送される。この際、原稿Ｐは、プラテンローラ24とミラー153等との間に設けられた透明原稿ガイド手段である流し読みプラテン161（原稿ガラス）の表面に摺擦してガイドされつつ、画像を読み取られる。流し読みプラテン161で画像を読み取られた原稿Ｐは、ジャンプ台162により流し読みプラテン161からすくい上げられ、リード排出ローラ23、リード排出従動ローラ16により排出ローラ18へ搬送されて、排出トレイ10に排出される。【００４８】  両面読取モード時には、原稿Ｐは排出ローラ18にてスイッチバックされ、上方のシートパス19に案内されてレジストローラ11、12に向けて搬送される。レジストローラ11、12へ搬送された後、上記と同様にして原稿の裏面の読み取りを行われ、排出トレイ10へ排出される。【００４９】〔ヒンジ機構〕  図５〜図８に示すように、原稿自動給送装置２は、ヒンジ機構95、96によってプラテンガラス161、原稿台ガラス３に対して開閉可能に設けられてい��。図５に示すように、ケーシング52の内部に、左右にヒンジ機構95、96が内装される。原稿搬送装置２の背面からみてヒンジ機構95を左、ヒンジ機構96を右に配置している。【００５０】  図６、図７に示すように、ヒンジ機構95、96は、ヒンジ軸71を中心にして、原稿自動給送装置２をリーダ部150に対して開閉自在に支持している。ヒンジ機構95、96は、リフトアーム74、リフト軸75、下部バネ軸76、ヒンジアーム77、高さ調整ネジ78、支点軸71、ヒンジベース84、下部バネホルダ85、圧縮バネ86、上部バネホルダ87、上部バネ軸88等で構成されている。【００５１】  ヒンジベース84はリーダ部150の本体に固定されている。ヒンジアーム77は支点軸71を介してヒンジベース84に回動可能に設けられている。【００５２】  ヒンジアーム77は、リフト軸75を介してリフトアーム74を回動自在に支えている。高さ調整ネジ78はリフトアーム74にねじ込まれ、高さ調整ネジ78の先端がヒンジアーム77の一部に当接して、原稿台ガラス３に対する原稿自動給送装置２の高さを調整できるようになっている。【００５３】  リフトアーム74はケーシング52に固定されている。上部バネホルダ87は圧縮バネ86の一端を保持している。上部バネホルダ上87は上部バネ軸88を介してリフトアーム74に回動可能に設けられている。下部バネホルダ85は圧縮バネ86の他端を保持している。下部バネホルダ85は下部バネ軸76を介してヒンジベース84回動可能に固定されている。従って、原稿自動給送装置２の開閉動作にともなって、上部バネ軸88と下部バネ軸76の間隔が変化し、圧縮バネ16が伸び縮みする。【００５４】  ケーシング52は、背面側のヒンジ機構95、96に対応する位置に、ケーシング52が切り欠かれて形成された開口部93がある。開口部93は、ヒンジ機構95、96の逃げとして機能し、原稿自動給送装置２を回動して完全に開いたとき、ヒンジ機構95、96が開口部93から背面側に突出する。【００５５】  開口部93は背面側をヒンジ機構保護カバー89で覆われている。ヒンジ機構保護カバー89はヒンジ内部に異物等が侵入しないようにカバーしている。また、ガードプレート90、91、92は、運搬の際に壁や突出物等に接触して外部からの力が作用した場合でもヒンジ機構95、96が損傷しないようにヒンジ機構95、96をガードしている。【００５６】  ヒンジ機構保護カバー89は、上端の一部がケーシング52に固定されている。ヒンジ機構保護カバー89には、ＥＰＤＭ（エチレンピロピレンゴム）系のゴムシートが使用されており容易に成形可能である。またヒンジ機構保護カバー89は、弾性力により自由に曲がり、自重によって元の形状に戻るようになっている。【００５７】  ガードプレート90、91、92は、ＡＢＳ（アクリルニトリル・ブタジエン・スチレン三元共重合体）樹脂で成形されており、ヒンジ機構保護カバー89に固定されている。ガードプレート90、91、92は、変形にしくく、ヒンジ機構保護カバー89が変形してもヒンジ機構保護カバー89から外れたりすることはない。【００５８】  図６は原稿自動給送装置２を半分ほど開いた状態を示している。このとき、原稿自動給送装置２は複写機本体１に対して矢印Ｂ方向に開閉することができる。図７は原稿自動給送装置２が完全に開いた状態を示している。このとき、圧縮バネ86は伸びている。このため、原稿自動供給装置２を閉じるとき、小さな力で閉じることができる。このように、ヒンジ機構95、96は、原稿自動供給装置２の開閉動作にともなって、圧縮バネ86が伸縮して、原稿自動供給装置２の開閉動作を助けるようになっている。【００５９】  図８は高さｈの辞書等の厚手の原稿Ｐを原稿台ガラス３に置いたとき、リフトアーム74がヒンジアーム77に対して、回動して白色圧板94および原稿自動給送装置２が原稿台ガラス３に平行にイコライズしている状態（白色圧板94と原稿台ガラス３のギャップが同じ高さとなった状態）を示している。このとき、圧縮バネ86は、圧縮されており、原稿自動供給装置２の開動作を助けるようになっている。【００６０】〔原稿読取部〕  図４（ｂ）に示すように、原稿読取部は、プラテンローラ24、流し読みプラテン161から構成されている。【００６１】  プラテンローラ24は、白色プラテンローラ24ａ、シート規制コロであるシート押さえコロ24ｂから構成されている。白色プラテンローラ24ａは、不図示の駆動手段により原稿Ｐを搬送する方向に駆動回転する。白色プラテンローラ24ａと流し読みプラテン161との間隔は不図示のガラス突き当て手段により０．１５ｍｍに保証されている。シート押さえコロ24ｂは、白色プラテンローラ24ａに従動して回転し、シート押さえコロ24ｂと流し読みプラテン161との間隔は０．５ｍｍに保証されている。【００６２】  流し読みプラテン161は、ガラス表面にＥＣコート（透明導電コート）を施してあり、表面低効率は200〜500Ω／ｃｍとなっている。【００６３】  流し読みプラテン161の原稿搬送方向上流側の縁部に、流し読みプラテン161の表面から裏面にかけて導電部材であるアルミシート161ａが導電性両面テープで貼られている。アルミシート161ａは流し読みプラテン161の表面とアースに落ちている筐体150ａの導通をとっている。【００６４】  図４（ａ）に示すように、原稿読取位置160より原稿搬送方向上流側の原稿読取位置160近傍、かつ原稿Ｐが流し読みプラテン161と接触する領域外、かつ略原稿幅全域で流し読みプラテン161と接触している。また、アルミシート161ａは、長手方向（原稿幅方向）の長さＸを搬送する最大原稿幅以上に設定し、原稿幅方向と直交する原稿搬送方向の長さＹを、原稿が透明原稿ガイド手段に接触する接触位置Ｚにかからないように設定されている。【００６５】  この貼り付け条件でアルミシート161ａを貼り付けることにより、原稿搬送に悪影響を及ぼすことなく、原稿Ｐと流し読みプラテン161の摺擦による静電気を瞬時に除去することができる。【００６６】  アルミシート161ａは、保護部材である樹脂シート161ｂにより保護されている。樹脂シート161ｂは、アルミシート161ａの全域を覆ってしまうのではなく、アルミシート161ａが１〜２ｍｍ程度露出するように覆っている。これにより、アルミシート161ａ先端のみが原稿Ｐと接触し、アルミシート161ａ先端で原稿Ｐが除電される【００６７】  原稿Ｐに付着した紙粉等のゴミＧは、原稿Ｐと共に搬送され、流し読みプラテン161と原稿Ｐの間で摺擦される。流し読みプラテン161の表面の帯電はアルミシート161ａにより瞬時に除去されるため、原稿Ｐ、ゴミＧ、流し読みプラテン161の間には静電吸着の力は及ばず、摩擦による力が支配的となる。従って、原稿ＰとゴミＧとの摩擦力が、ゴミＧと流し読みプラテン161との摩擦力より強く、ゴミＧは原稿Ｐと共に搬送され、流し読みプラテン161に滞留し、画像スジが発生することを防止することができる。【００６８】  また、例えゴミＧが流し読みプラテン161上に留まったとしても、静電吸着していなければ次の原稿Ｐの先端によりクリーニングされて簡単に除去できるため、スジ画像になることを防止できる。【００６９】  尚、本実施形態では、導電部材をアルミシート161ａとし、導電性両面テープで貼られているものとしたが、本発明はこれに限定されるものでなく、銅等であってもよく、さらに、導電テープとして流し読みプラテン161に直接貼付したものであってもよい。また、導電部材は板バネであってもよい。【００７０】  上述のごとく、アルミシート161ａを、原稿読取位置160より原稿搬送方向上流側および略原稿幅全域において流し読みプラテン161と導電する構成としたことにより、流し読みプラテン161と原稿Ｐの摺擦部近傍（静電気発生領域）で除電することができ、流し読みプラテン161の表面抵抗の大きさによる影響をおさえ、短時間で充分に除電を行うことができる。これにより、流し読みプラテン161と原稿Ｐの静電吸着を防止し、スジ画像の発生を防止できる。【００７１】  また、アルミシート161ａを、原稿Ｐが流し読みプラテン161に接触する接触位置Ｚより原稿搬送方向上流側に設けたことにより、アルミシート161ａが原稿Ｐに接触して原稿Ｐを直接除電することもできる。【００７２】［他の実施形態］  次に本発明に係る画像読取装置及びこれを具備する画像形成装置の他の実施形態について図を用いて説明する。図１１は他の実施形態に係る画像読取装置の詳細図である。上記第一実施形態と説明の重複する部分については、同一の符号を付して説明を省略する。【００７３】  図１１に示すように、本実施形態にかかる画像読取装置及びこれを備えた画像形成装置は、上記第一実施形態のアルミシート161ａを流し読みプラテン161の原稿幅方向の長さと同じ長さに設定し、さらに、流し読みプラテン161の原稿幅方向縁部の両側にも設けたものである。すわなち、流し読みプラテン161の３辺に、アルミシート161ａ、保護シート161ｂを設けた構成となっている。【００７４】  上記第一実施形態と同様に、アルミシート161ａは流し読みプラテン161の接触位置Ｚにかからないように設定されている。また、アルミシート161ａは、樹脂シート161ｂにアルミシート161ａが１〜２ｍｍ程度露出するように覆われている。【００７５】  このように、流し読みプラテン161の３辺（原稿読取位置160の原稿搬送方向上流側縁部と原稿幅方向縁部の両側）に、アルミシート161ａ、保護シート161ｂを設けたことにより、除電範囲を広げ、原稿Ｐと流し読みプラテン161の摺擦領域以外のところから除電することにより、原稿搬送に悪影響を及ぼすことなく、原稿Ｐと流し読みプラテン161の摺擦による静電気を瞬時に除去し、ゴミＧが流し読みプラテン161に静電吸着することによる画像スジの発生をよりいっそうおさえることができる。
【産業上の利用可能性】
【００７６】  本発明の活用例として、スキャナー、複写機、プリンター、あるいは、ファクシミリ装置などの、原稿搬送装置を備え、原稿に記録された画像を読み取る画像読取手段に適用可能である。
【図面の簡単な説明】
【００７７】
【図１】本実施形態に係る画像読取装置の断面図である。
【図２】画像形成装置の構成図である。
【図３】原稿搬送装置の駆動系の説明図である。
【図４】原稿読取部の詳細図である。
【図５】ヒンジ機構を説明する原稿搬送装置の背面図である。
【図６】原稿搬送装置のヒンジ機構の説明図である。
【図７】原稿搬送装置のヒンジ機構の説明図である。
【図８】原稿搬送装置のヒンジ機構の説明図である。
【図９】原稿搬送装置の制御ブロック図である。
【図１０】読取装置の制御ブロック図である。
【図１１】他の実施形態に係る画像読取装置の詳細図である。
【図１２】従来の画像読取装置の詳細図である。
【符号の説明】
【００７８】１    …画像形成装置２    …原稿搬送装置３    …原稿台ガラス４    …原稿トレイ10    …排出トレイ12    …レジストローラ15    …画像読取装置18    …排出ローラ19    …シートパス22    …リードローラ23    …リード排出ローラ24    …プラテンローラ150   …リーダ部160   …原稿読取位置161   …流し読みプラテン161ａ …アルミシート161ｂ …保護シート300   …プリンタ部
【図１】
2005184069.tif 000003
【図２】
2005184069.tif 000004
【図３】
2005184069.tif 000005
【図４】
2005184069.tif 000006
【図５】
2005184069.tif 000007
【図６】
2005184069.tif 000008
【図７】
2005184069.tif 000009
【図８】
2005184069.tif 000010
【図９】
2005184069.tif 000011
【図１０】
2005184069.tif 000012
【図１１】
2005184069.tif 000013
【図１２】
2005184069.tif 000014